(57)【要約】【目的】プレートの連結を人の手により容易に切離すことができ、且つ切離し後の切り口の処理も必要とすることがない家畜等の耳標を提供する。【解決手段】耳標１を、耳殻を貫通可能な２１ピンが形成された雄プレート２と、前記ピン２１と係着可能なピン受３１が形成された雌プレート３から形成すると共に、雄プレート２と雌プレート３を隣接状態で、且つその連結部４をそれぞれのプレートの肉厚より薄く形成する。【選択図】  図１
2004344085.tif 000002
【特許請求の範囲】
【請求項１】
家畜等に装着される耳標であって、該耳標は、耳殻を貫通可能な貫通手段が形成された雄プレートと、前記貫通手段と係着可能な係着手段が形成された雌プレートからなり、その雄プレートと雌プレートは適宜の部位で連結されていると共に、その連結部がそれぞれのプレート面の肉厚より薄く形成されていることを特徴とする家畜等の耳標
【請求項２】
前記雄プレートと雌プレートが隣接状態で連結されていることを特徴とする請求項１の家畜等の耳標
【発明の詳細な説明】
【０００１】
【産業上の利用分野】
本発明は、家畜等の動物の耳に装着する耳標に関するものである。
【０００２】
【従来技術と問題点】
従来、耳標は家畜の個体を識別するための手段として広く用いられており、その一つとして図４に示すような樹脂素材の耳標５がある。この図は家畜に装着される前の形態であり、その耳標は家畜を識別するための識別番号を表示するプレートが２枚連結されており、その一方のプレート６には耳殻貫通用の貫通ピン６１が形成され、他方のプレート７には貫通ピンと係着する係着部７１が形成されている。すなわち、それぞれのプレートがオスメス一対の関係になっている。
【０００３】
耳標５を家畜へ装着する際は、連結する２枚のプレートを連結部８で切離し、一方のプレート６に形成された貫通ピン６１を家畜の耳殻に貫通させ、他方のプレート７に形成された係着部７１と係着させることによってプレートすなわち耳標が家畜の耳殻に装着される。この耳標の特徴としては、耳標を家畜に装着する直前まで識別番号が表示された２枚のプレートを一つの物体として管理できるところにある。すなわち、装着に際し、識別番号を表示したプレートを取り違えて装着してしまうミスを防止できるのである。
【０００４】
しかして、連結する２枚のプレートの連結部８はブリッジ状のしっかりとした連結部材８１によって連結されているため、プレートの切離しは、連結部８の折り曲げを繰り返し行い切離していた。その切離しの後、連結部材は一方のプレートに突起状に残っており、もしも、連結部材が残ったままプレートが家畜に装着されると、連結部材やその切り口によって耳殻が傷付けられて家畜がダメージを受けることは必至であるため、プレートに残る連結部材はハサミ等によってプレートから切り落すと共に、必要ならば切り口をヤスリ等で滑らかに処理していた。従って、装着に際し極めて手間の掛かるものであった。
また、耳標の装着は野外や暗い畜舎内での作業のため、装着に手間が掛かることは、その作業場所からも作業者に環境面や安全面での負担を掛けてしまっているのである。
【０００５】
【目的】
本発明は上述した問題点に鑑みてなされたもので、プレートの連結を人の手により容易に切離すことができ、且つ切離し後の切り口の処理も必要とすることがない家畜等の耳標を提供することを目的とする。
【０００６】
【問題を解決するための手段】
本発明の要旨とするところは、家畜等に装着される耳標であって、該耳標は、耳殻を貫通可能な貫通手段が形成された雄プレートと、前記貫通手段と係着可能な係着手段が形成された雌プレートからなり、その雄プレートと雌プレートは適宜の部位で連結されていると共に、その連結部がそれぞれのプレート面の肉厚より薄く形成されていることを特徴とする家畜等の耳標である。
【０００７】
本発明の家畜等の耳標を詳しく説明すると、家畜とは牛や豚をはじめとする動物を意味するものである。そして、耳標はそれらの家畜の耳殻に装着され、それに印字された識別番号によって各個体が適宜に管理されるのである。
そして、耳標の素材も特に限定するものではなく、適宜の素材によって形成すればよいが、一体成型が可能な適宜の樹脂素材を用いるのがよい。具体的な素材としては熱可塑性ポリウレタンがよい。さらに、耳標の全体の形状も特に限定するものではなく所望の形状に成型すればよい。
【０００８】
雄プレートに形成された貫通手段とは、家畜の耳殻を貫通することが可能な形態になるものであり、例えば、先端が鋭利に尖っているピンやヤジリのようなもので、少なくとも耳殻の皮膚および肉を容易に貫通できればよい。
【０００９】
雌プレートに形成された係着手段とは、雄プレートの貫通手段と係着可能な形態になるものであり、また、それは貫通手段の形態に適宜に対応可能な形態であると共に、貫通ピンを切断しない限り、分離しない構造とするのが望ましい。すなわち、タンパープルーフ構造とするのがよい。
【００１０】
その雄プレートと雌プレートの連結形態は特に限定するものではないが、望ましくは、雄プレートと雌プレートを隣接させた状態で連結するのがよい。その連結する部位も特に限定するものではなく、耳標の成型等に有利となる部位で連結すればよい。例えば、雄プレートと雌プレートの一辺を連結部位としてもよい。
【００１１】
【作用】
本発明の家畜等の耳標は以上のように構成されているので、雄プレートと雌プレートの連結部、すなわち雄プレートと雌プレートが隣接する部位からプレートそれぞれが切離される際、その動作は、連結部の肉厚が薄くなっているためその部分が案内溝の役目をすると共に、肉厚が薄いため人の手でも容易に切離すことができる。
また、切離しによってその切り口に残るバリはその肉厚が薄いので、家畜の皮膚と接触しても皮膚を傷付けることがない。
【００１２】
【実施例】
本発明の家畜等の耳標を以下図面に従って説明すると、図１は、本発明に係る耳標の平面図であり、１は家畜等の耳殻に装着される耳標、２は雄プレートでこのプレート面に家畜を識別するための識別番号等が印字される。２１は雄プレート２に形成されている耳殻貫通用のピンである。３は雌プレートで雄プレート２と同様にこのプレート面に家畜を識別するための識別番号等が印字される。３１は雄プレート２のピン２１を係着するピン受である。４は連結部で雄プレート２および雌プレート３のプレート面より薄い肉厚となっている。
【００１３】
図２は、耳標の上面図である。ピン２１が、ピン受３１に一旦嵌まると、ピン２１の頭部は、ピン２１の支柱が切断されてもピン受３１内にとどまり、再使用不可能となっている。
図３は、耳標の連結部の断面図であり、連結部４は、雄プレート２および雌プレート３のプレート面より薄い肉厚であると共に、雄プレート２と雌プレート３は隣接状態で連結される。
【００１４】
【効果】
本発明の家畜等の耳標は以上のように、雄プレートと雌プレートが隣接状態で連結され、且つその連結部の肉厚が薄くなっているので、人の手でも容易に切離すことができる。また、切離しによってその切り口に残るバリにおいてもその肉厚が薄いので、家畜の皮膚を傷付けることがない。
従って、耳標の装着効率は大きく向上し、これによって作業者に対する環境面や安全面での負担を大きく軽減することができる。
【図面の簡単な説明】
【図１】本発明に係る耳標の正面図
【図２】耳標の上面図
【図３】耳標の連結部の断面図
【図４】従来の耳標の正面図
【図５】従来の耳標の切離し後の平面図
【符号の説明】
１−耳標，２−雄プレート，２１−ピン，３−雌プレート，３１−ピン受，４−連結部，５−耳標，６−プレート，６１−貫通ピン，７−プレート，７１−係着部，８−連結部，８１−連結部材
【図１】
2004344085.tif 000003
【図２】
2004344085.tif 000004
【図３】
2004344085.tif 000005
【図４】
2004344085.tif 000006
【図５】
2004344085.tif 000007